(57)【特許請求の範囲】
【請求項１】
建築物の外壁を貫通する開口部の構造であって、
前記開口部に隣接する外壁の屋内側に配置され、端面が開口部に露出する内装材と、
前記開口部の屋内側の内周縁に沿って配置され、前記内装材の端面を覆う飾り縁と、
前記開口部の内周下辺において前記飾り縁の裏側で前記内装材の露出端面との間に介在する吸放湿シートと
を備える開口部構造。
【請求項２】
前記開口部の屋外側に嵌め込まれる開口枠をさらに有し、
前記飾り縁が、前記内装材の端面に沿って延びる水平片と、水平片の屋内側端部から内装材の屋内側表面に沿って開口部の外側に延びる前面垂直片と、水平片の屋外側端部から水平片と直交して前記サッシ枠の内側面に沿って延びる後面垂直片とからなる
請求項１に記載の開口部構造。
【請求項３】
建築物の外壁を貫通する開口部の施工方法であって、
前記開口部に隣接する外壁の屋内側に配置され端面が開口部に露出する内装材に対して、内装材の端面を覆って吸放湿シートを配置する工程(a)と、
前記吸放湿シートの表面を覆い、前記開口部の屋内側の内縁に沿って内装材の端面を覆う飾り縁を取り付ける工程(b)と
を含む開口部の施工方法。
【請求項４】
建築物の外壁を貫通する開口部において、開口部に隣接する外壁の屋内側に配置される内装材の開口部に露出する端面を覆って施工される飾り縁であって、
前記飾り縁の裏側で前記内装材の端面と対面する個所に吸放湿シートを備える飾り縁。
【発明の詳細な説明】
【０００１】
【発明の属する技術分野】
本発明は、建築物の開口部構造および開口部の施工方法に関し、詳しくは、建築物の窓や出入り口などの開口部の構造と、このような開口部を施工する方法と、開口部に取り付けられる飾り縁とを対象にしている。
【０００２】
【従来の技術】
住宅などの建築物において、窓の構造としては、外壁に貫通する開口に、サッシ枠を嵌め込み、室内側では、サッシ枠と壁面との間を覆うように飾り縁が取り付けられるのが一般的である。
飾り縁は、天然木など木質系材が使用されることが多く、意匠性や外観性を高める機能を果たす。
飾り縁と壁材の端面との間には隙間があり、この隙間には天然木などの木質系の下地材が配置されて、飾り縁の位置決めおよび固定を果たしている。
【０００３】
【発明が解決しようとする課題】
前記した建築物の窓構造では、ガラス窓やサッシ枠の表面に結露が発生し易く、この結露が壁面内部にも侵入して、壁内部で黴を発生させたり、壁材料の腐食や劣化を促進したりするという問題がある。
ガラス窓やサッシ枠の表面に発生した結露水は、前記した飾り縁の上に落下して、飾り縁の内部に浸透し、飾り縁の裏側で壁材の端面に浸入する。飾り縁とサッシ枠との隙間から壁材の端面に浸入することもある。また、飾り縁の裏側空間に存在するサッシ部の表面に結露水が発生することもある。
【０００４】
壁材の表面には必要に応じて遮水性の材料を積層したりできるので、壁材を透過するような水分の浸透は阻止できるのであるが、開口部に露出する壁材の端面では、壁材を構成する吸水性の材料層に結露水が浸入し易い。
近年、工業化住宅などで、外壁を構成する外装材、断熱材、内装材などを矩形状の鋼枠に取り付けて複合一体化した複合建築パネルが使用されることがある。このような複合建築パネルの場合、開口部には、各層材の端面が露出しているので、結露水の浸入が起こり易くなる。特に、室内側に配置される内装材は、繊維材料や多孔質材料など比較的に吸湿性の高い材料が使用されることが多いので、その端面から結露水が浸入し、内装材の室内側表面に変色や膨れなどの欠陥が現れてしまう。
【０００５】
本発明の課題は、上記したような建築物の開口部における壁材への結露水の浸入を効果的に阻止し、飾り縁の裏側空間における結露水の発生も低減することである。
【０００６】
【課題を解決するための手段】
本発明にかかる建築物の開口部構造は、建築物の外壁を貫通する開口部の構造であって、前記開口部に隣接する外壁の屋内側に配置され、端面が開口部に露出する内装材と、前記開口部の屋内側の内周縁に沿って配置され、前記内装材の端面を覆う飾り縁と、前記開口部の内周下辺において前記飾り縁の裏側で前記内装材の露出端面との間に介在する吸放湿シートとを備える。
〔建築物の開口部〕
住宅、オフィスビル、工場、その他の建築物において、外壁を貫通して設けられる各種の開口部に適用される。例えば、窓や出入り口、換気口、物品の搬送口、配管やケーブルの挿通口などがある。特に、結露が発生し易い窓ガラスやガラス扉が設置される開口部に適用される。アルミサッシなどの伝熱性の高い材料が使用される開口部に有効である。
【０００７】
開口部の基本的な構造としては、壁材を貫通する開口部が設けられ、この開口部の内周縁すなわち壁材の端面に沿って、サッシ枠や木質枠などの開口枠が配置される。開口枠と壁材との境界は、屋外側では、シーラント処理などを施して、十分な水密構造に施工される。屋内側では、意匠性を高めるために、飾り縁などが設置される。
工業化住宅の施工などの場合、骨組構造となる矩形状の鋼枠に、外装材、断熱材および内装材などが一体的に積層され、予め開口部が設けられた複合建築パネルを用意しておくことも行なわれる。
【０００８】
〔内装材〕
開口部が設けられる外壁のうち、屋内側を構成する。
基本的には、通常の建築物における内装材の材料や構造が適用される。
内装材の具体例として、合板や石膏ボード、木質繊維集積板、パーティクルボード、合成樹脂発泡ボード、壁面タイル、壁紙などが挙げられる。内装材の材料として、室内空間の過剰な湿気を吸収する吸湿性の材料が使用されることがある。室内空間の湿度条件によって吸湿または放湿する調湿機能のある内装材も知られている。
【０００９】
一般的には、壁の骨組構造である鋼枠や木質柱、梁などの表面に、下地板材が配置され、その表面に石膏ボードなどの内装下地材が配置され、屋内に露出する最表面に壁紙などの表装材が配置されるなど、複数の材料層を積層して構成される。
〔飾り縁〕
基本的には、通常の建築物における飾り縁と同様の技術が適用される。飾り縁は、開口部の内周縁で屋内側の端縁に沿って、壁材と開口部の枠材との境界を覆うように施工される。矩形の開口部であれば、上下辺および左右辺の４辺それぞれに飾り縁が施工される。
【００１０】
飾り縁の材料は、通常、室内の装飾効果や意匠性を高め、手触りなどの質感も高めるために、天然木などの木質材が使用されることが多い。このようなコストのかかる材料を使用するため、飾り縁の厚みは比較的に薄い板状をなしている。飾り縁の材料として、合成樹脂や金属、セラミックなども使用できる。
飾り縁は、開口部のうち、少なくとも、開口部に露出する内装材の端面を覆う。開口部にアルミサッシなどの開口枠が嵌め込まれて施工される場合、飾り縁は、開口枠の室内側端面から開口部に露出する壁材、特に内装材の端面を覆う。開口部の屋内側の内周縁では、飾り縁が、内装材の表面に沿って開口部の外側に一定の幅で延びるようにすれば、開口部の内周縁を体裁良く覆うことができる。
【００１１】
〔吸放湿シート〕
開口部の内周下辺において、飾り縁の裏側で内装材の露出端面との間に介在させる。
飾り縁の裏側に浸入し、内装材の端面から内装材の内部に浸入しようとする湿気や結露水を吸収保持する。その後、周辺環境の湿度が低下すれば、吸収保持した水分を外部に放出する。結露や湿気の浸入は、朝方や降雨時など、一時的または断続的に発生し、昼間や好天時には、周辺環境は乾燥状態になる。その結果、吸放湿シートによる湿気や結露水の吸収保持と水分放出が繰り返され、内装材への水分浸入を長期間にわたって阻止することができる。
【００１２】
吸放湿シートの材料は、上記のような機能が発揮できれば、各種の合成樹脂あるいは天然材料が使用できる。親水性の材料が好ましい。具体的な吸放湿シートの材料として、ＰＶＡ樹脂を用いたＰＶＡ系シートが使用できる。編織布や不織布に吸放湿性材料を担持させたシートも使用できる。
吸湿量が５〜５０ｃｃ／ｍ2（湿度６０〜１００％）のものが使用できる。好ましくは、１０〜５０ｃｃ／ｍ2（湿度８０〜１００％）である。
吸放湿シートは、柔軟性があって、内装材の端面に密着して配置できるものであれば、内装材との隙間から水分が内装材に浸入し難くなる。
【００１３】
吸放湿シートは、内装材の端面に配置されているだけであってもよいし、接着剤などで接合しておいてもよい。釘打ちで止定したり、金具で締結したり、金具や飾り縁で内装材側に圧接したりしておいてもよい。
吸放湿シートは、少なくとも内装材の端面を塞ぐ位置および形状で配置しておく。内装材以外の壁材の端面までを塞ぐようにすることもできる。但し、外壁の屋外露出面などには露出しないようにして、吸放湿シートが湿気などの浸入経路にならないようにするのが好ましい。
開口部の内周辺のうち、内装材の端面が上向きに露出していて、結露水などが落下してくる内周下辺に、吸放湿シートを配置しておくことが好ましい。内周測辺や内周上辺にも吸放湿シートを配置できるが、必要がなければ、省くこともできる。内周下辺と内周側辺の下方部分に吸放湿シートを配置しておいてもよい。
【００１４】
〔裏詰材〕
飾り縁の裏側で、壁材や開口枠との間に生じる空間を埋める裏詰材が使用できる。特に、吸放湿シートが存在しない部分で飾り縁と壁材などとの間の空間に配置しておくことができる。
裏詰材の材料として、変形容易で遮水性や断熱性を有するものが好ましい。遮水性を有することで、飾り縁の裏側に浸入した結露水などの水分が、裏詰材を超えて内装材などの壁材側へ通過するのを阻止できる。断熱性を有することで、飾り縁の施工個所における壁面の断熱性を向上させたり、飾り縁の裏側空間において、サッシ枠の表面などに結露が発生するのを防止したりすることができる。変形容易であることによって、裏詰材を壁材および枠材に、隙間なく密接した状態で取り付けることができる。壁材の端面や枠材の表面には機能上必要な凹凸や金具の突起などが存在する。これらの凹凸に裏詰材を押し付けたときに、裏詰材が容易に変形して、隙間なく密着できるようにしておく。裏詰材が壁材などに密接して取り付けられることで、水分の通過を確実に遮断できる。
【００１５】
このような機能を備えた材料として、ポリスチレン、ポリウレタン、フェノールなどの合成樹脂の発泡体が使用できる。発泡体としては、連続気泡構造を有するものは、水分が浸透して通過し易いので好ましくない。独立気泡構造を有するものは、水分が通過し難い。発泡倍率が高いもののほうが変形し易い。発泡倍率が高すぎると、形状維持性が劣るものになる。発泡倍率として１０〜５０倍の範囲のものが使用できる。
裏詰材の形状は、装着する開口部の壁材と飾り縁との間に存在する空間の形状に合わせて設定される。通常は、断面矩形の柱状に設定される。矩形以外の多角形断面やＬ字形断面、一部に凹凸のある形状なども採用できる。
【００１６】
〔施工方法〕
吸放湿シートを施工すること以外は、基本的には通常の建築物における開口部の施工方法と同様の技術が適用される。
壁面に形成された開口部には、通常、サッシ枠や木質枠などの開口枠を嵌め込む。但し、開口枠は、壁材のうち外装材や鋼枠あるいは柱材の部分までに配置され、内装材の部分までは配置されない。
内装材の端面を覆って、吸放湿シートを取り付ける。必要であれば、吸放湿シートを内装材の端面あるいは他の壁材や開口枠に接合しておく。
【００１７】
開口枠と壁材との隙間に裏詰材を配置しておくことができる。裏詰材が変形容易であれば、開口枠や壁材に突出する突起や釘頭などの凹凸に対応して変形することで、隙間を確実に埋めることができる。裏詰材の固定は、接着剤や釘、ねじ釘などの通常の固定手段を適用できる。飾り縁を取り付けることで、裏詰材が固定されるようになっていてもよい。
吸放湿シートおよび裏詰材が施工されたあとで、飾り縁を取り付ける。飾り縁は、開口部の壁材や開口枠の内側に嵌め込むだけであったり、接着剤などを使って接合したり、釘やねじ釘、リベットなどの止定金具で固定したりする。
【００１８】
さらに、必要に応じて、飾り縁や屋内側の壁面に仕上げ塗装を施したり、飾り縁と開口枠の間に水密処理を行ったりすることができる。
〔吸放湿シート付き飾り縁〕
飾り縁の裏側に予め吸放湿シートを取り付けておけば、開口部の施工時に、飾り縁と吸放湿シートとを別々に取り付ける手間が省ける。飾り縁と吸放湿シートとの一体性も高まる。
飾り縁に吸放湿シートを取り付けておくには、接着や係合、釘打ち、ねじ止めなどの通常の建築部材における固定手段が採用できる。
【００１９】
吸放湿シートに加えて裏詰材も、飾り縁に取り付けておけば、裏詰材の施工の手間も省ける。
【００２０】
【発明の実施の形態】
〔開口部の全体構造〕
図１に示す建築物の開口部１０は、一般住宅の外壁に設けられる窓であり、室内側の正面形状を示している。開口部１０は全体が矩形状をなし、引き違い式のガラス障子２０が取り付けられている。開口部１０の内周各辺には飾り縁６０が取り付けられる。開口部１０の内周下辺では、飾り縁６０の裏側に吸放湿シート４０が配置されている。
〔開口部の断面構造〕
図２に詳しい構造を示すように、開口部１０は、複合建築パネルからなる壁パネル４０で囲まれている。
【００２１】
壁パネル４０は、型鋼材などを組み立てて構成されたパネル枠４４の屋外Ｏに面する側には、下地桟材４５を介してセメント板などからなる外装材４６が貼り付けられている。パネル枠４４の屋内Ｉに面する側には、合板や石膏ボード、壁紙などからなる内装材４２が積層されている。図示しないが、外装材４６と内装材４２との間でパネル枠４４の内部空間にはグラスウールなどからなる断熱材が充填される。
開口部１０の内周縁には、壁パネル４０の端面が露出する。具体的には、内装材４２を構成する各層の端面が、開口部１０に露出することになる。
【００２２】
開口部１０の屋外側には、窓用のサッシ枠２２が取り付けられる。サッシ枠２２には、ガラス障子２０が嵌め込まれる。ガラス障子２０の屋外側には網戸２３も取り付けられる。屋外Ｏに面する外壁側では、サッシ枠２２と外装材４６との間に、コーキング材などを充填して、水密構造に施工する。
開口部１０の室内側では、サッシ枠２２から壁パネル４０の端面を経て室内壁面にかけて、飾り縁６０で覆われている。
飾り縁６０は、木質材からなり、開口部１０の内周辺すなわち壁パネル４０の端面に沿って延びる水平片６２と、水平片６２の屋外側端部から直交する方向に延びてサッシ枠２２の屋内側を覆う垂直片６４と、水平片６２の屋内側端部から直交する方向に延びて内装材４２の屋内側表面を覆う垂直片６６とで構成され、全体がＳ字状あるいはＺ字状をなしている。
【００２３】
飾り縁６０は、開口部１０の上下および左右の四辺全てに配置される。そのうち、開口部１０の内周下辺の飾り縁６０の裏面には、厚み０．１〜０．５ｍｍのＰＶＡ系シートからなる吸放湿シート５０（ベルシェード：商品名、アイオン社製）が配置されている。吸放湿シート５０は、内装材４２の端面に密着して配置されている。吸放湿シート５０は、内装材４２の端面全体とパネル枠４４の一部までを覆っている。
開口部１０の内周上辺および左右側辺では、飾り縁６０の裏面が内装材４２の端面に当接していてもよいし、吸放湿シート５０あるいはＥＰＤＭゴムなどからなる弾性シート３２の何れかが配置されていてもよい。弾性シート３２は吸放湿性を有していない。
【００２４】
飾り縁６０の背面で、サッシ枠２２および壁パネル４０の表面との間には、概略矩形状の空間があいている。この空間に、ポリエチレン発泡体からな裏詰材３０が取り付けられている。裏詰材３０は、概略断面矩形状をなすとともに、サッシ枠２２や飾り縁６０の凹凸にしたがう凹凸をなしている。予め断面矩形に製造された裏詰材３０を、サッシ枠２２に押し付けたり、飾り縁６０で圧接することで、前記した凹凸状に変形し、隙間を確実に塞ぐことができる。
〔開口部の機能〕
上記のようにして施工された開口部１０の構造では、住宅内外の温度差などの影響で、ガラス障子２０やサッシ枠２２の室内側の表面に結露が発生することがある。発生した結露水は、ガラス障子２０やサッシ枠２２に沿って落下し、飾り縁６０の表面に付着したり、飾り縁６０とサッシ枠２２の隙間から飾り縁６０の背面側へと浸入したりする。飾り縁６０が通水性を有する木質材などからなる場合には、飾り縁６０に浸透した水分が飾り縁６０の裏側に沁み出すことも起こる。
【００２５】
しかし、開口部１０の内周下辺では、飾り縁６０の裏側で内装材４２の端面を覆って、吸放湿シート５０が配置されているので、飾り縁６０の裏側に浸入した水分は全て吸放湿シート５０に吸収保持される。内装材４２の内部には水分が浸入せず、内装材４２の変色や変質劣化などが防止できる。内装材４２の内部でカビが発生することも防げる。
結露の発生がなくなったり、周囲の環境温度が上がったりして、環境の湿度が下がり乾燥状態になると、吸放湿シート５０に吸収保持された水分は徐々に外部に放出される。水分が環境中に放出されてしまえば、吸放湿シート５０は乾燥状態になり、吸湿機能が回復する。通常の住宅環境などでは、高湿度になって結露が発生するのは、冬期の深夜から朝方が多い。昼間には湿度が下がり乾燥する。定期的に、高湿状態と乾燥状態とが繰り返される。したがって、吸放湿シート５０も、水分の吸収と放出とを繰り返し、長期間にわたって、内装材４２へと水分の浸入を確実に阻止することができる。
【００２６】
吸放湿シート５０は、厚みが薄いので、開口部１０の屋内側空間を広くできる。すなわち、飾り縁６０は、内装材４２の屋内側表面に沿う垂直片６６、内装材４２の端面に沿う水平片６２、および、サッシ枠２２の内側面に沿う垂直片６４の何れもが、開口部１０の内部空間に大きく張り出すことがない。サッシ枠２２よりも屋内側が広がるように開放されているので、屋内の居住者に開放感を与え、窓の大きさを実際よりも大きく感じさせる効果がある。
さらに、サッシ枠２２と飾り縁６０との間に存在する裏詰材３０が、結露水が飾り縁６０の裏側空間へ浸入するのを防いで、吸放湿シート５０に過剰な水分が供給されないようにできる。
【００２７】
〔吸放湿シートの施工〕
図３に示すように、吸放湿シート５０は、建築パネル１０を建て付けて開口部１０が構成された段階で、開口部１０の内周下辺において、内装材４２の端面に施工することができる。
開口部１０の内周上辺では、内装材４２の端面に弾性シート３２を貼り付けておく。
その後に、サッシ枠２２と嵌め込み施工や、裏詰材３０の取り付け、飾り縁６０の取り付けなどの施工を行う。
【００２８】
建築パネル１０の製造時に、内装材４２の端面に吸放湿シート５０を取り付けておくこともできる。また、飾り縁６０の裏面に吸放湿シート５０を貼り付けておくこともできる。このような技術を適用すれば、吸放湿シート５０の施工が容易になる。
【００２９】
【発明の効果】
本発明にかかる建築物の開口部構造は、飾り縁と内装材の端面との間に吸放湿シートが配置されていることによって、飾り縁の裏側空間に浸入する結露水などの水分を、吸放湿シートで効率的に吸収保持して、水分が内装材の端面から内部に浸入することを確実に防止できる。
開口部の周囲の環境が低湿度になれば、吸放湿シートに吸収保持された水分は環境中に放出され、吸放湿シートの吸湿機能が回復する。このようにして、吸放湿シートによる水分の吸収および放出を繰り返すことで、内装材への水分浸入を長期間にわたって確実に阻止することができる。
【００３０】
しかも、吸放湿シートは、厚みが薄いので、飾り縁と内装材との間に大きな空間を必要とせず、開口部の内側空間を大きく確保して、居住者に開放感を与えることもできる。
【図面の簡単な説明】
【図１】  本発明の実施形態を表す開口部の概略正面構造図
【図２】  開口部の詳細断面構造図
【図３】  開口枠を取り付ける前の段階における断面構造図
【符号の説明】
１０    開口部
２０    ガラス障子
２２    サッシ枠
３０    裏詰材
４０    壁パネル
４２    内装材
５０    吸放湿シート
６０    飾り縁
６２    水平片
６４、６６    垂直片
【図１】
0004109481.tif 000002
【図２】
0004109481.tif 000003
【図３】
0004109481.tif 000004